Podtech/llm-jp-corpus-v4-ja_patent huggingface dataset:
(57)【要約】      （修正有）【課題】シンプルな構造でありながら脱油篭の回転振動を抑え、かつ回転駆動体から容易に着脱操作可能な、揚げカス脱油装置を提供する。【解決手段】脱油篭２０は、脱油篭２０を載置する回転テーブル３０の軸３１に軸嵌される軸受２１を有し、回転テーブル３０は、内層に埋め込まれた磁石３４を備え、脱油篭を吸着保持する。【選択図】図２
0003202116.tif 000002
【実用新案登録請求の範囲】
【請求項１】
本体上部に開口部を有するタンクと、このタンク内に設け、かつ電動モータによって回転駆動される脱油篭とを備えた遠心分離式の揚げカス脱油装置において、脱油篭は脱油篭を載置する回転テーブルに軸嵌載置されるとともに、回転テーブルの内層に埋め込まれた磁石により吸着保持されることを特徴とする揚げカス脱油装置。
【考案の詳細な説明】
【技術分野】
【０００１】  本考案は、揚げ物を調理する際に生じた揚げカスの脱油装置に係り、より詳しくは脱油篭に投入した揚げカスから、遠心分離して脱油する装置に関するものである。
【背景技術】
【０００２】  例えばフライヤーから回収された揚げカスを高速回転する脱油篭に収容し、遠心分離して揚げカスから油分を回収する装置として、特許文献１に開示される技術が公知である。
【先行技術文献】
【特許文献】
【０００３】
【特許文献１】特開２０１２−２１０２９５号公報
【考案の概要】
【考案が解決しようとする課題】
【０００４】  上記特許文献１に開示された食用油回収装置は、上部に開口部を有するタンクと、タンク内に設けられた脱油篭は、電動モータによって回転駆動可能に固着連結されている。また脱油篭内には、揚げカスを収容する収容篭を着脱自在に装填可能になっており、脱油後の揚げカスを収容篭ごと取り出せる構造になっている。【０００５】  前記の脱油篭は、パンチングメタルで構成され、前記の収容篭は金網によって構成された２漕構造となっているため、長期間使用の間には収容篭の金網に変形が生じてしまい、脱油篭への装脱着が円滑でなくなり、使用者は金網の真円矯正を強いられていた。【０００６】  本考案は、以上のような従来の欠点に鑑み、脱油篭と収容篭を一体化して１個の脱油篭とし、脱油篭を回転駆動体から容易に着脱操作可能な、揚げカス脱油装置を提供する事を目的としている。
【課題を解決するための手段】
【０００７】  上記目的を達成するために、本考案における脱油篭の回転駆動体への係合態様は、脱油篭を載せる回転駆動体としての回転テーブルを備え、回転テーブルは、非磁性体素材を使用し、中心に凸状の姿勢保持支柱を設け、加えて、姿勢保持支柱の周縁とターンテーブル外側縁との間に複数の磁石を埋め込んだ構造とし、他方脱油篭は、磁性体素材を使用し、底面中心には、前記姿勢保持支柱が軸嵌する凹状の軸受ホルダを設けた構造からなる。
【考案の効果】
【０００８】  本考案によれば、装置本来の機能を損なうことなく、揚げカス収納篭および脱油篭の周辺構成が簡略化され、脱油篭の回転振動を抑え、かつ回転駆動体からの着脱操作可能が容易になり利便性向上が図られる。
【図面の簡単な説明】
【０００９】
【図１】本考案の揚げカス脱油装置の全体構成を示す構成図である。
【図２】本考案の揚げカス脱油装置における回転テーブルと脱油篭との配置の関係を示す図である。
【図３】従来の揚げカス脱油装置の全体構成を示す構成図である。
【考案を実施するための形態】
【００１０】  図１〜図３を参照して、本考案の実施形態について説明する。図１において、フレーム１の上部はタンク２を形成した脱油室であり、フレーム１の下部は回転テーブル３０の回転駆動室である。脱油室と回転駆動室は、遠心分離で飛散された油を回収するオイルパン３で隔壁される。８は回転軸を上向きにして回転駆動室に設けた電動モータ、１３は電動モータとカップリングを介して連結されるフランジ付回転軸である。２０は脱油篭、１６は脱油篭に揚げカスを投入する際に開閉する蓋体である。その他構成は、図３に示す従来例と相似であるため説明を省略する。
【００１１】  図２は、本考案に係る回転テーブルと脱油篭について説明する。脱油篭２０は円筒形状で、上部が開口し下部は磁性体素材で閉塞されている。円筒周面は金網構造である。脱油篭底面中心には、フランジ付回転軸３１を内包する軸受ホルダ２１があり、垂直安定性を保つ。また、脱油篭底面には、回転テーブル３０との同期回転を維持するための、すべり止め穴２５がめくら穿孔されている。
【００１２】  回転テーブル３０は、非磁性体素材を使用した下層盤３２と、上層円盤３３とからなり、層間には、磁石３４を回転テーブル周縁内に複数個等間隔で配置した後、上層円盤３３と下層盤３２を締結部材で挟持している。そしてフランジ付回転軸１３を、円盤中心穴に軸着固定している。回転テーブル上層円盤３５の表面には、上記脱油篭底面に穿孔されたすべり止め穴２５と対をなす、脱油篭すべり止めピン３５が打ち込みされている。
【００１３】  回転テーブル３０との同期回転を維持作用する、上記のすべり止め穴とすべり止めピンは、１実施態様であり、直線状の突起やそれを受ける溝構造であっても良い。
【産業上の利用可能性】
【００１４】  本考案の揚げカス脱油装置は、食品工場やレストラン等で各種揚げものを調理する食品製造業界で利用され、揚げカスから食用油を回収して再使用できると共に、揚げカスを廃棄する際には、揚げカスに浸み込んだ油が減少するため、環境保全に寄与できる。
【符号の説明】
【００１５】１    フレーム
２    タンク
３    オイルパン
８    電動モータ
１３  フランジ付回転軸
１６  蓋体
２０  脱油篭
２１  軸受ホルダ
２５  脱油篭すべり止め穴
３０  回転テーブル
３１  脱油篭姿勢保持支柱
３２  回転テーブル下層円盤
３３  回転テーブル上層円盤
３４  磁石
３５  脱油篭すべり止めピン
【図１】
0003202116.tif 000003
【図２】
0003202116.tif 000004
【図３】
0003202116.tif 000005
(57)【要約】【課題】  描かれた阿弥陀如来の後光部を多方面に反射分散させ光輝かせることにより、「荘厳さ」や「ありがたみ」を感じる仏壇用の掛軸を提供すること。【解決手段】  本考案は、市販の仏壇用の掛軸の本紙（１）に描かれた阿弥陀如来像の後光部（３）に、反射材料フィルム（５）をホットメルト樹脂（４）で熱圧着して固定することにより、又は反射材料を印刷ですることにより、外光又は仏壇内の燈明を多方面へ反射分散させることにより、上記課題を解決する。【選択図】図２
0003202119.tif 000002
【実用新案登録請求の範囲】
【請求項１】
描かれた阿弥陀如来の後光部に反射材料を使用した仏壇用の掛軸。
【請求項２】
前記反射材料として蓄光材料、再帰反射材料、ホログラムフィルム、グリッターフイルム、又は分光フィルムを使用する請求項１記載の仏壇用の掛軸。
【考案の詳細な説明】
【技術分野】
【０００１】  本考案は、描かれた阿弥陀如来の後光部が光輝いて見える浄土真宗において使用される仏壇用の掛軸に関するものである。
【背景技術】
【０００２】  現在市販されている仏壇用の掛軸の構造は、図３に示すように、掛軸の本紙（１）に阿弥陀如来像（２）を印刷し、その後光部（３）においては金粉、染料又は顔料インクを使用して、黄色く後光を表現しているものがほとんどである。
【先行技術文献】
【０００３】
【特許文献１】特許公報平４−７９５６１
【特許文献１】特許公報平４−５６０６５
【非特許文献】
【考案の概要】
【考案が解決しようとする課題】
【０００４】  しかしながら、前記の掛軸を仏壇の中央に配置した場合において、暗い外光や仏壇内の燈明の中では、黄色く印刷された後光部が正面から見た場合に目立たちにくく、阿弥陀如来の後光がさす雰囲気を表現することができず、「荘厳さ」や「ありがたみ」を感じにくいところがあった。
そこで、本考案は、阿弥陀如来の後光部を多方面に反射分散させて、光輝いて見えることにより、阿弥陀如来の「荘厳さ」や「ありがたみ」を感じさせる掛軸を提供することが課題である。
【課題を解決するための手段】
【０００５】  本考案は、仏壇用の掛軸に描かれた阿弥陀如来の後光部に、反射材料を含む樹脂フィルムをホットメルト樹脂で熱圧着して固定することにより、又は反射材料を印刷ですることにより、外光又は室内燈明を多方面へ反射分散させ、上記課題を解決するものである。
【考案の効果】
【０００６】  本考案にあっては、仏壇の中央に設置された掛軸において、阿弥陀如来の後光部が外光や仏壇内の燈明を多方面に反射分散することにより、正面からみて後光が輝いて見え、あたかも後光が射しているかの如く見える。それにより「荘厳さ」や「ありがたみ」を感じ、先祖を敬う信仰心の高揚が期待される。
【図面の簡単な説明】
【０００７】
【図１】この考案の一実施形態を示す掛軸の正面図
【図２】この考案の実施構造を示す断面図
【図３】従来の掛軸図
【考案を実施するための形態】
【０００８】  この考案の一実施形態を図に基づいて説明する。
図３は、従来の印刷でつくられた市販されている掛軸の本紙（１）においては、阿弥陀如来の後光部（３）は金粉又は顔料インクで黄色に表現されている。図２は、この考案の一子構造を示す断面図であって、阿弥陀如来が描かれた本紙の後光部（３）に位置合わせしてホットメルト樹脂層（４）で接着して、反射材料フィルム（５）が固定されている。
図１は、完成された本考案の一実施形態を示す掛軸の正面図である。
【実施形態の効果】
【０００９】  この考案品は外光又は仏壇内の燈明を受けて、後光分の反射材料により、入射光を多方面に反射分散するために、仏壇の正面から見ると阿弥陀如来の後光部分が光輝いて見える。
【産業上の利用の可能性】
【００１０】  市販されている仏壇用の掛軸の利用は仏教宗派により異なるが、一般的に浄土真宗においては阿弥陀如来像が中央に描かれた掛軸を使用されている。仏壇の形態や大きさにより、使用される掛軸のサイズも数種類あるが、掛軸製造元が市販流通している掛軸はほぼ規格が決まっている。それらのサイズに合わせた裏面にホットメルト樹脂が塗布された反射材料フイルムを作成することにより、掛軸製造元が掛軸の本紙を製造する過程に熱圧着工程を入れるのみで、本考案の掛軸を容易に製造することができる。
【符号の説明】
【００１１】  １  本紙
２  阿弥陀如来像
３  後光部
４  ホットメルト樹脂
５  反射材料フィルム
６  反射材料フィルムを貼り付けた後光部
【図１】
0003202119.tif 000003
【図２】
0003202119.tif 000004
【図３】
0003202119.tif 000005
(57)【要約】【課題】金属面への接着をより効果的なものにすることができる磁力付吸盤シートを提供する。【解決手段】磁力付吸盤シート１０は、吸盤が設けられている第１の面１０ａと第１の面１０ａと対向する第２の面１０ｂを有する吸盤シート１１と、第３の面１０ｃと第３の面１０ｃと対向する第４の面１０ｄを有するマグネットシート１２から構成されている。この磁力付吸盤シート１０は、吸盤シート１１の第２の面１０ｂと、マグネットシート１２の第３の面１０ｃが、圧着、接着剤による接着などにより貼り付けられ一体的に形成されている。【選択図】図１
0003202180.tif 000002
【実用新案登録請求の範囲】
【請求項１】
吸盤が設けられている第１の面と前記第１の面と対向する第２の面を有する吸盤シートと、第３の面と前記第３の面と対向する第４の面を有するマグネットシートを、有し、
前記第２の面と前記第３の面が貼り付けられて一体的に形成されていることを特徴とする磁力付吸盤シート。
【請求項２】
前記第１の面に設けられている吸盤は、凹凸のない部材の表面に吸着されるように形成されていることを特徴とする請求項１に記載の磁力付吸盤シート。
【請求項３】
前記部材は、プラスチック、ガラスまたは金属であり、
前記第１の面は、前記金属の表面に当接されるとき、前記吸盤シートの吸盤による吸着力と前記マグネットシートの磁力による吸引力で、前記金属の表面に接着されるように構成されていることを特徴とする請求項２に記載の磁力付吸盤シート。
【請求項４】
前記吸盤シートは略０．２ｍｍの厚さであり、前記マグネットシートは略１．０ｍｍの厚さであることを特徴とする請求項１からは請求項３のいずれか１項に記載の磁力付吸盤シート。
【請求項５】
前記第４の面は、粘着剤を有していることを特徴とする請求項１から請求項４のいずれか１項に記載の磁力付吸盤シート。
【考案の詳細な説明】
【技術分野】
【０００１】
本考案は、磁力付吸盤シートに関する。
【背景技術】
【０００２】
吸着シートは種々開発されているが、例えば、糊などの接着剤を用いた接着方法ではなく、吸着シートを接着する部材の表面に吸着固定される吸盤構造を有する吸盤シートが開示されている。
【考案の概要】
【考案が解決しようとする課題】
【０００３】
上記の吸盤シートは、必ずしも良好な接着を行うことができるとはいえず、特に金属面への接着に関しては、より効果的な接着シートの開発が求められている。
【０００４】
そこで本考案は、このような課題を解決するためになされたもので、金属面への接着をより効果的なものにすることができる磁力付吸盤シートの提供を目的とする。
【課題を解決するための手段】
【０００５】
上記課題を解決するために、本考案に係る磁力付吸盤シートは、吸盤が設けられている第１の面と前記第１の面と対向する第２の面を有する吸盤シートと、第３の面と前記第３の面と対向する第４の面を有するマグネットシートを、有し、前記第２の面と前記第３の面が貼り付けられて一体的に形成されていることを特徴とする。
【０００６】
本考案に係る磁力付吸盤シートの態様について、前記第１の面に設けられている吸盤は、凹凸のない部材の表面に吸着されるように形成されていることが好ましい。
【０００７】
本考案に係る磁力付吸盤シートの態様について、前記部材は、プラスチック、ガラスまたは金属であり、前記第１の面は、前記金属の表面に当接されるとき、前記吸盤シートの吸盤による吸着力と前記マグネットシートの磁力による吸引力で、前記金属の表面に接着されるように構成されていることが好ましい。
【０００８】
本考案に係る磁力付吸盤シートの態様について、前記吸盤シートは略０．２ｍｍの厚さであり、前記マグネットシートは略１．０ｍｍの厚さであることが好ましい。
【０００９】
本考案に係る磁力付吸盤シートの態様について、前記第４の面は、粘着剤を有していることが好ましい。
【考案の効果】
【００１０】
本考案の磁力付吸盤シートによれば、金属面への接着をより効果的なものにすることができる磁力付吸盤シートの提供をすることができる。
【図面の簡単な説明】
【００１１】
【図１】実施形態の磁力付吸盤シートを示す模式図である。
【考案を実施するための形態】
【００１２】
以下、本考案の磁力付吸盤シートの実施形態を、図１を用いて説明する。
【００１３】
磁力付吸盤シート１０は、吸盤が設けられている第１の面１０ａと、この第１の面１０ａと対向する第２の面１０ｂとを有する吸盤シート１１と、第３の面１０ｃと、この第３の面１０ｃと対向する第４の面１０ｄとを有するマグネットシート１２から構成されている。
【００１４】
図１に示すように、磁力付吸盤シート１０は、吸盤シート１１の第２の面１０ｂと、マグネットシート１２の第３の面１０ｃが、圧着、接着剤などにより貼り付けられ、一体的に形成されている構成である。
【００１５】
また、磁力付吸盤シート１０は、第１の面１０ａに設けられている吸盤が、凹凸のない部材の表面に吸着されるように形成されており、例えば、第１の面１０ａは、表面が外気と連通した開口を有する吸盤構造である。
【００１６】
上記の部材は、例えば、プラスチック、ガラスまたは金属であるが、これは例示であり、これに限定されず表面が凹凸のない部材であれば、この部材に磁力付吸盤シート１０を接着することができる。
【００１７】
そして、磁力付吸盤シート１０は、上記の部材が磁力に反応する金属である場合には、吸盤シート１１の第１の面１０ａが、この金属の表面に当接されるときに、吸盤シート１１の吸盤による吸着力と、マグネットシート１２の磁力による吸引力とで、より強固に接着されるように構成されている。
【００１８】
また、磁力付吸盤シート１０を構成する吸盤シート１１の厚さは略０．２ｍｍの厚さであり、マグネットシート１２の厚さは略１．０ｍｍの厚さであることが望ましい。
【００１９】
第４の面１０ｄは、粘着剤を有していることが望ましく、例えば、第４の面１０ｄのこの接着剤に会社名などを記載したシールが張り付けられた磁力付吸盤シート１０の第１の面１０ａを、自動車のボディに強固に貼り付けることができるという効果的な用い方をすることができる。
【００２０】
マグネットシート１２は、例えば、素材はフェライトであり、シート状にするために、接着剤の役目をするバインダーとしての塩素化ポリエチレンを混入することで構成される。
【００２１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２２】
また、磁力付吸盤シートの大きさや形状、素材の厚さ、重さなどについては多様な実施形態が可能であり、それらについて本実施形態と異なる形態による実施は、本考案の技術的範囲に含まれる。
【符号の説明】
【００２３】
１０      磁力付吸盤シート
１０ａ    第１の面
１０ｂ    第２の面
１０ｃ    第３の面
１０ｄ    第４の面
１１      吸盤シート
１２      マグネットシート
【図１】
0003202180.tif 000003
(57)【要約】      （修正有）【課題】複数のカードをカバーの外皮に安全性を損なうことなく便利に収納できて、使い勝手の良いカードホルダーと、それを用いたカードホルダー付き機器カバーを提供する。【解決手段】袋部１にシート材２を出し入れ自在に収納し、このシート材２に複数のカード収納部３、３・・・を設けることにより、所期の目的を達成することができた。また、袋部１の一端部開口縁近傍にシート材２の端部を回動自在に枢支した場合は、シート材２の抜け落ちを防止して、安全性を向上させ、更に機器５を覆うカバー６の外皮７の外面に袋部１を設けた場合は、使用しない場合の機器５を露出させずに、カードの出し入れができるようにしたものである。【選択図】図１
0003202858.tif 000002
【実用新案登録請求の範囲】
【請求項１】
袋部１にシート材２を出し入れ自在に収納し、このシート材２に複数のカード収納部３、３・・・を設けて成るカードホルダー。
【請求項２】
袋部１の一端部開口縁近傍にシート材２の端部を回動自在に枢支してシート材２を袋部１に出し入れ自在に収納し、このシート材２に複数のカード収納部３、３・・・を設けて成る請求項１に記載のカードホルダー。
【請求項３】
機器５を覆うカバー６の外皮７の外面に袋部１を設けた請求項１又は２に記載のカードホルダー付き機器カバー。
【考案の詳細な説明】
【技術分野】
【０００１】
本考案は、使い勝手の良いカードホルダーと、それを具備したカードホルダー付き機器カバーに関するものである。
【背景技術】
【０００２】
従来より、例えば、スマートホンや携帯電話等の機器カバーには、カード入れや、小物入れ付きのものが便利で多数流布している。そして、カード収納部は、安全性の観点から、それらのカバーの内側面にスリット状の出し入れ口を設けて、カードを収納するようにしているが、カードの出しれに当たっては、内部に収納した機器を使わない場合も、カバーを開けなければならず、使い勝手が良くない欠点があった。
【０００３】
これを解決しようとして、カバーの外側に収納部を設けて、ここにカードを入れるようにしたものもあるが、カードを１枚ずつ収納するもの（特許文献１参照）であったり、ファスナーで開閉する収納部を設けたもの（特許文献２参照）が提案されているが、前者ではカードが１枚しか収納できない上に、カードが抜け落ちる惧れがあり、後者では、カードをまとめて収納した場合は、目的のカードのみを瞬時に取出し難く、使い勝手が良くない欠点があった。
【特許文献１】実用新案登録第３１７４４８１号公報
【特許文献２】実用新案登録第３２００５３７号公報
【考案の開示】
【考案が解決しようとする課題】
【０００４】
本考案は、このような機器のカバーに適用しても、カードの出し入れが簡単であり、しかも安全性を損なうこともないカードホルダーと、カードホルダー付き機器カバーを提供しようとするものである。
【課題を解決するための手段】
【０００５】
本考案の主たる特徴は、袋部１にシート材２を出し入れ自在に収納し、このシート材２に複数のカード収納部３、３・・・を設けたことであり、第２には、袋部１の一端部開口縁近傍にシート材２の端部を回動自在に枢支４したことであり、第３には、機器５を覆うカバー６の外皮７の外面に袋部１を設けたことである。
【考案の効果】
【０００６】
本考案にあっては上述のようにしたから、カードＣ類は、外部に露出した袋部１であっても、一旦シート材２のカード収納部３に収納された状態で袋部１に収納されるため、カードＣが抜け落ちにくく、安全に使用できるものである。また、カード収納部３は、シート材２に複数設けられているため、複数のカードを収納する場合でも、必要なカードを瞬時に抜き差しできて、使い勝手が良い利点が保持される。
【０００７】
また、シート材２を枢支部４より袋部１の開口部端部付近に回転自在に装着した場合は、シート材２は抜け落ちることが全くなく、安全性が更に向上する。
【０００８】
更にそのようなものを、機器５を収納するカバー６の外皮７に設定した場合は、機器５を使わない場合は、カバー６を開けて機器５を露出させることなく、カードＣ類の出し入れのみができて快適に使用できる利点がある。
【考案を実施するための最良の形態】
【０００９】
図１は本考案の一実施例の概略を示すもので、スマートホン等の機器５を収納するカバー６の１例であり、カバー１の外皮７に設けられた袋部１にシート材２の下端開口部付近が枢支部４により矢印のように回転自在に枢支されて、上部が出し入れ自在になっており、このシート材２の露出可能な部分に複数のカード収納部３、３・・・の差込口が設けられたものであり、複数のカードＣ類が収納できるようになっている。
【００１０】
図２は、カバー６を開いた状態を示し、必要に応じて、機器収納部９や、止め部材８が設けられ、内側面１０には他の収納物Ａを収納できる袋部１１、カード収納部１３や、カード取出しのための指押し穴１２が設けられる。
【００１１】
また、図３は、他の実施例を示すもので、シート材２を袋部１にスライド自在に収納したものである。図１、図３のいずれの場合も、カード収納部３のカードＣの出し入れ方向と、シート材２の袋部１からの移動方向は、互いに略直角か、少なくとも平行ではなく、カード収納部３に収納されたカードＣは、シート材２が袋部１に収納された状態では、抜け落ちることがない。
【００１２】
（作用の説明）
機器５を内部に装着したカバー６の場合でも、カード収納部３にカードＣを出し入れする時は、カバー６を開くことなく、図４のように、外皮７の袋部１よりシート材２の一部を枢支部４を中心に回動させて露出させ、露出したカード収納部３よりカードＣを出し入れすることができるものである。カードＣとしては、接触式或いは無接触式ＩＣチップや磁気カード、その他の種々のカード類全般、名刺類等の収納に利用できるものである。図３の実施例では、シート材２を引き出して、カード収納部にカードＣの出し入れができる。
【産業上の利用可能性】
【００１３】
単にカード類を収納するための単独のカードホルダーとしては勿論、スマートフォンやタブレット等の機器５を保護するためのカバー６においても、外皮７にカードＣ類を安全かつ便利に収納して保持できるものとして利便性を向上させたものである。また、カバー６のような場合でも、内側面のカード収納においても、適用することができ、更に機器５を収納しない二つ折りの収納デバイスにも幅広く適用できる。
【図面の簡単な説明】
【００１４】
【図１】本考案の一実施例の概略斜視図。
【図２】同上のカバーを開いた状態の概略斜視図。
【図３】同上の他の実施例の斜視図。
【図４】同上の作用説明図。
【符号の説明】
【００１５】
１は袋部、２はシート材、３はカード収納部、４は枢支部、５は機器、６はカバー、７は外皮。
【図１】
0003202858.tif 000003
【図２】
0003202858.tif 000004
【図３】
0003202858.tif 000005
【図４】
0003202858.tif 000006
(57)【要約】      （修正有）【課題】常にズレないで簡単に補正できる横に長いソファーのソファーカバーを提供する。【解決手段】横に長いソファーの場合のソファーカバーの生地を枕カバーのように頑丈に縫って結びつけすることにより、使用時にはソファーカバーが人が座った重さでひとりでに回転できるようにさせることで、ソファーカバーが少しずつズレていき、そのままの場所が変動することを促しながら形を保ちながら、常にひとりでに横に長いソファーのソファーカバーが整理整頓できるようにする。【選択図】図１
0003202891.tif 000002
【実用新案登録請求の範囲】
【請求項１】
横に長いソファーのソファーカバーの生地を枕カバーのように結びつけて回転させることを特徴とするソファーカバー。
【考案の詳細な説明】
【技術分野】
【０００１】
本発明は、長期にわたり整理整頓が容易なソファーカバーに関するものである。
【背景技術】
【０００２】
横に長いソファーのソファーカバーは日常の生活の中でソファーの汚れを取り替えることによって最新し、清潔なリビング生活を充用している。取り替えるときは、固定したものについては、いちいち固定したある紐等をはずし、それぞれのパーツごとを剥がしていくこととしている。そのままで掛けているものについては少しずつズレが生じるので毎日補正していくことが多い。
【０００３】
しかし、取り替えに手間がかかったり、ズレの補正に時間がかかるという欠点があった。
【０００４】
日常生活においてこの欠点は  快適なリビング生活を送ろうとする気分をそこねるものであり、どうしても克服しなればならないという課題があった。
【先行技術文献】
【特許文献】
【０００５】
公開実用新案（U) 平３−８６３
【考案の概要】
【考案が解決しようとする課題】
【０００６】
この課題を解決ための問題点は、横に長いソファーのソファーカバーがズレないようにしかも簡単に補正する手段が解決されなければならない点にある。
【課題を解決するための手段】
【０００７】
本考案は、横に長いソファーのソファーカバーがズレないように簡単に補正することを可能にするためソファーカバーを枕カバーのようにベルト化して回転させようというもので、体重を利用してソファーカバーを少しずつズレたのをそのまま促して補正していけるということを最も主要な特徴とする。
【考案の効果】
【０００８】
本考案のローリングするソファーカバーは毎回少しずつカバーがズレても常に新しい生地が表れ、補正しなくても十分ソファーに座って生活を楽しめるという利点がある。
【図面の簡単な説明】
【０００９】
【図１】図１はソファーカバーがローリングする様子を立体的に表したものである
【図２】図２はソファーカバーがソファーに装着された様子を表したものである。
【図１】
0003202891.tif 000003
【図２】
0003202891.tif 000004
(57)【要約】      （修正有）【課題】複数の支持具シートの一部分を互いに組み合わせる事で、各シートの脱落防止を可能にするスライド可能なストッパー付譜面台載置用譜面支持具を提供する。【解決手段】隣り合うシート１、２、３が連なるように、各シートの背面に交互に溝４、あるいはその溝に合うスライダー５を作成し、組み合わせて閉じてしまうことで、いずれのシートを引き出しても、抜け切ってしまう事のないストッパー６、７、８を作成する。【選択図】図１
0003202808.tif 000002
【実用新案登録請求の範囲】
【請求項１】
複数の筒状のシートからなる譜面台載置用譜面支持具であって、前記複数の筒状の
シートは順次小さくなる大きさを有し、大きいものほど外側となるよう入れ子の構造とされ、
平板状に構成されて、一の前記筒状のシートは、背面に筒状のシートの輪と並列に延び
る矩形の開口部を形成し、他の前記筒状シートは帯状体のスライダーを備え、前記開口
部と組み合わせて抜け止め部で閉じられたスライド可能なストッパー付譜面台載置用譜
面支持具。
【考案の詳細な説明】
【技術分野】
【０００１】
本考案は、譜面台載置用譜面支持具の使用にあたり、重ねた支持具の筒状のシート
（以下筒状のシートを、単にシートと呼称する）、このシートを 引き出す際、引き出し過ぎ
て抜き切ってしまうことがあり、前記の事柄を阻止できる脱落防止に関するものである。
【背景技術】
【０００２】
譜面台載置用譜面支持具は、重ねた支持具のシートを手で引き出して展開し、載置
面積を拡げることができる。
【０００３】
しかしながら、上に重ねて譜面を載置していると、どれ程引き出したのか分からなくなる
事もあり、時として譜面もろとも脱落する恐れがあるという欠点があった。
【０００４】
あるいは他の従来の入れ子式譜面台で載置面を拡張する手段の物は、連結部が均一に
保てなかったり、レール敷設など煩雑となり、大仕掛、重量化しコストも掛かることもある。また
それらは既存の譜面台を対象外とすることも多い。
【先行技術文献】
【特許文献】
【０００５】
【特許文献１】特許第５８３１９５６  公報
【特許文献２】特表２００３ー５２６１１５
【特許文献４】実登３１９５８８３
【考案の概要】
【考案が解決しようとする課題】
【０００６】
本考案は、以上のような従来の欠点に鑑み、譜面台載置用譜面支持具の独立した支持
具シート１、シート２、シート３の一部分を互いに組み合わせる事で、各シートの脱落防止を
可能にすることを目的としている。
【課題を解決するための手段】
【０００７】
譜面台載置用譜面支持具が３重構造のとき、真ん中のシート２の後方背面側に、シー
トの輪と並列方向に、所定の長さを入ったところで横長の矩形の穿孔、すわち開口部４を
設け、この開口部を溝とするレールを作成する。
【０００８】
シート１、シート３の背面部はシート２の開口部４に相対する位置に矩形の面積を切り出
し、帯状体のスライダー５を作成する。切り出す部分は抜け止め部７を残す。
【０００９】
スライダー５はシート２の開口部４の溝に差し込んで組み合わせ、抜け止め部６をシー
ル等で閉じる。これでシート１、シート２、シート３は連結し、個別になっていた支持具
のシートは、抜け落ちる事のないストップ機能を備える。
【考案の効果】
【００１０】
以上の説明から明らかなように、請求項１の構成要件で、シートのどれを引き出しても
ストップがかかるので安心して載置面積を最大拡張できる。重ねられた支持具のシートは
分散することはなくなり、脱落して楽譜をばら撒いたり、分散した大、中、小のシート１，２，
３を組み直す順序に悩むこともなくなる。
【００１１】
また請求項１の構成要件である開口部の溝やスライダーは、譜面の載置部分の背面に
作成するため、風や多少の雨の時などに、シート１とシート２、シート２とシート３の間に
譜面を差し込む手段を取る時にも邪魔にならない。
【図面の簡単な説明】
【００１２】
【図１】本考案の背面図
【図２】本考案の正面図  譜面台載置用保持具  特許第５８３１９５６号の姿をとどめる
【図３】図１を両手ですぼめて閉じた背面図
【図４】図２を両手ですぼめて閉じた正面図
【図５】シート２であり、レールとなる矩形の開口部を作成する
【図６】シート３であり、シート２のレールに組み合わせてスライダーとなる部分を切り出す
【図７】シート１であり、シート３とは対称の位置にシート２のレールに組み合わせてスライ              ダーとなる部分を切り出す
【符号の説明】
【００１３】
１、２、３は譜面台載置用譜面支持具の各シート。
４はシート２に穿かれた矩形の開口部。溝でありレールとなる。
５は帯状体のスライダー。シート１、シート３の切り出す部分。
６はシート１、シート３をシート２に組み合わせて、閉じることでストッパーとなる。
７はシート１、シート３のスライダーとする所を切り残した部分。閉じることでストッパーとなる。
８はシート２を矩形に切り抜き、残した部分。ストッパーとなる。
【図１】
0003202808.tif 000003
【図３】
0003202808.tif 000004
【図４】
0003202808.tif 000005
【図５】
0003202808.tif 000006
【図６】
0003202808.tif 000007
【図７】
0003202808.tif 000008
【図２】
0003202808.tif 000009
(57)【要約】      （修正有）【課題】家庭用、業務用にかかわらず、炊飯器を２台準備することなく、白飯と穀物ごはんを必要数量調理する穀物調理用容器を提供する。【解決手段】耐熱性かつ水浸透性を有する容器１に穀物２を詰め、封をする。容器１のまま調理した穀物２を容器１から取り出し、炊飯した白飯と混合することで、好みに応じた穀物ごはんを提供することが可能となる。【選択図】図１
0003202802.tif 000002
【実用新案登録請求の範囲】
【請求項１】
水が浸透する容器に白米以外の１種ないし数種類の穀物を封入してなる穀物調理用容器。
【請求項２】
前記水が浸透する容器は、網製容器、織布製容器、不織布製容器、ネット製容器、漉紙製容器、微孔を設けたプラスチック製容器のいずれかからなる請求項１記載の穀物調理用容器。
【請求項３】
前記穀物は、大麦、小麦、ライ麦、オーツ麦、ライ小麦、ハトムギ、黒米、赤米、緑米、玄米、発芽玄米、きび、ひえ、あわ、ソルガム、アマランサス、キヌア、大豆、小豆、緑豆、レンズ豆、ごまの中から選ばれた１種ないし数種類からなる請求項１記載の穀物調理用容器。
【請求項４】
前記容器は、平袋状、ガゼット袋状、テトラパック状、巾着袋状のいずれかの形状である請求項１又は２に記載の穀物調理用容器。
【請求項５】
前記容器にタグを取り付けてなる請求項１乃至４のいずれかに記載の穀物調理用容器。
【考案の詳細な説明】
【技術分野】
【０００１】  本考案は、容器に穀物を入れて、容器のまま調理が可能な、穀物調理用容器に関するものである。
【背景技術】
【０００２】  一般家庭や外食店、弁当屋さん等で、穀物ごはんとして提供する時に数々の問題があった。
調理方法として、白飯以外に、穀物ごはんあるいは穀物のみを炊飯釜で炊飯する場合、炊飯釜が追加で必要であり、一般家庭及び業務用として敬遠されている。
調理方法として白米の炊飯品と茹でた穀物を混合する方法もあるが、外食チェンでは、穀物の調理に時間がかかるため、あらかじめ調理した穀物を小分けしておいて、注文の際に再加熱等を行う際に、計量、小分け容器の準備、洗浄等に手間を必要とした。
【考案の概要】
【考案が解決しようとする課題】
【０００３】  炊飯器を増やさずに、家庭用、業務用で必要に応じた穀物ごはんの提供を行う。
外食チェン等で穀物をあらかじめ茹でておき、客の注文により再加熱して提供する場合、茹で後あるいは再加熱前に計量及び小分け又は移し替え等の手間がかかる行為そのものを省く。
【課題を解決するための手段】
【０００４】  本考案は、例えば、一人前に必要な量の穀物を、ティーバッグ等の水が浸透する容器に入れて封をし、容器のまま調理が可能にすることにより問題点を解決している。調理された穀物を、別に炊飯した白飯と混合することにより簡単な穀物ごはんの提供が可能となる。
【考案の効果】
【０００５】  炊飯器ではなく、鍋等で穀物の調理が可能となるため炊飯器を増やすことなく白飯と穀物ごはんが提供できるので、家庭のみならず、外食や弁当の限られた厨房でも穀物ごはんメニューが採用できる。
上述の様に、一人前に必要な量の穀物をティーバッグに入れて包装してあるので、穀物をボイルした後に計量小分け包装する行為そのものが手間として省ける。
【図面の簡単な説明】
【０００６】
【図１】本考案の穀物調理用容器の第１の実施例を示す図である。
【図２】本考案の穀物調理用容器の第２の実施例を示す図である。
【図３】本考案の穀物調理用容器の第３の実施例を示す図である。
【図４】本考案の穀物調理用容器のシール構造の第１の例を示す図である。
【図５】本考案の穀物調理用容器のシール構造の第２の例を示す図である。
【図６】本考案の穀物調理用容器のシール構造の第３の例を示す図である。
【図７】本考案の穀物調理用容器の形状の第１の例を示す図である。
【図８】本考案の穀物調理用容器の形状の第２の例を示す図である。
【図９】本考案の穀物調理用容器の第４の実施例を示す図である。
【図１０】本考案の穀物調理用容器の第５の実施例を示す図である。
【考案を実施するための形態】
【０００７】  図１〜図３は、本考案の第１乃至第３実施例の穀物調理用容器をそれぞれ示す。
容器１は、食品衛生法の規格基準に沿い且つ１００℃以上の耐熱性を有する、織布、不織布、漉紙（図１）、網又はネット（図２）、微孔を設けたプラスチックフィルム（図３）のいずかからなり、袋状に形成され、白米以外の１種ないし数種類の穀物２（例えば、大麦、小麦、ライ麦、オーツ麦、ライ小麦、ハトムギ、黒米、赤米、緑米、玄米、発芽玄米、きび、ひえ、あわ、ソルガム、アマランサス、キヌア、大豆、小豆、緑豆、レンズ豆、ごまの中から選ばれた１種ないし数種類）が封入されている。容器１に水が浸透することでボイル等の調理が可能となる。
図４〜図６は容器１のシール構造を示す。シール面３の位置構造により、図４の三方シール、図５の合掌シール、図６の上下シールといったいずれかの構造としても良い。また、容器１の形状は、平袋状、ガゼット袋状以外に、図７のように巾着袋形状、図８のようにテトラパック形状としても良い。
また、図９、図１０に示すように、容器１にタグ４を付した形状にすることで、箸やトング等の調理器具を使用することなくボイル等の調理をすることが可能である。
【符号の説明】
【０００８】１    容器
２    穀物
３    シール面
４    タグ
【図１】
0003202802.tif 000003
【図２】
0003202802.tif 000004
【図３】
0003202802.tif 000005
【図４】
0003202802.tif 000006
【図５】
0003202802.tif 000007
【図６】
0003202802.tif 000008
【図７】
0003202802.tif 000009
【図８】
0003202802.tif 000010
【図９】
0003202802.tif 000011
【図１０】
0003202802.tif 000012
(57)【要約】      （修正有）【課題】従来の自転車用のレインパンツの素材は、防水性を有する生地から成り、自転車乗車時の運動による発汗で蒸れることがある。本考案は、通気性を有する撥水生地と水を通さない防水生地を組み合わせた蒸れにくいレインパンツを提供する。【解決手段】雨天時の自転車乗車に使用するレインパンツ１であって、裏面にコーティングをしていない通気性を有する撥水生地から成るレインパンツ本体２の裏側に水を通さない加工を施した防水生地３を部分的に使用し、蒸れの軽減と防水性を両立する。【選択図】図１
0003202803.tif 000002
【実用新案登録請求の範囲】
【請求項１】
通気性を有する撥水生地でなるレインパンツ本体と、裏側に水を通さない加工を施した防水生地を備えることで、蒸れの軽減と防水性を両立することを特徴とする自転車用レインパンツ。
【請求項２】
前記防水生地を、自転車乗車時に圧力がかかり雨が浸み込みやすい腰部から腿上部にかけての前後と、膝裏に備えたことを特徴とする請求項１記載の自転車用レインパンツ。
【考案の詳細な説明】
【技術分野】
【０００１】  本考案は雨天時の自転車乗車に特化した蒸れにくいレインパンツに関する。
【背景技術】
【０００２】  従来の自転車用のレインパンツは、生地に水を通さない樹脂加工を施した防水性を有する生地または水を通さない樹脂製シートから成り、自転車乗車時の運動による発汗で蒸れることがある。
【考案の概要】
【考案が解決しようとする課題】
【０００３】  従来の自転車用のレインパンツの素材は、防水性を有する生地または水を通さない樹脂製シートから成り、自転車乗車時の運動による発汗で蒸れることがある。本考案は、生地に樹脂加工を施さず通気性を良くした水を良く弾く撥水生地と水を通さない樹脂加工を施した防水生地を組み合わせた蒸れにくいレインパンツを提供する。
【課題を解決するための手段】
【０００４】  本考案のレインパンツは、裏面に樹脂加工をしていない通気性を有する撥水生地から成るレインパンツの裏側に水を通さない加工を施した防水生地を部分的に使用し、蒸れの軽減と防水性を両立することを特徴とする。【０００５】  前記防水性を有する生地を自転車乗車時に圧力がかかり雨が浸み込みやすい腰部から腿上部にかけての前後と膝裏に使用することを特徴とするレインパンツ。
【考案の効果】
【０００６】  本考案のレインパンツは、主に通気性を有する撥水生地から成り、自転車乗車時に雨の圧力がかかり水が浸入しやすい腰部から腿上部にかけての前後と膝裏の裏側部分に水を通さない防水生地を付け、防水性と蒸れにくさを両立したレインパンツ。
【図面の簡単な説明】
【０００７】
【図１】本考案の自転車用レインパンツの構成  （ａ）正面図、（ｂ）背面図  斜線部分は、裏側に使用される防水生地。
【図２】本考案の自転車用レインパンツの分解斜視図  （ａ）正面図、（ｂ）背面図  斜線部分は、裏側に使用される防水生地。
【考案を実施するための形態】
【０００８】  図１は本考案の自転車用レインパンツの構成図、図２は本考案の自転車用レインパンツの分解斜視図である。
本考案の自転車用レインパンツは、通気性を有する撥水生地から成るレインパンツ本体１と、裏側に水を通さない加工を施した防水生地３を備える。
【０００９】  図１（ａ）と図２（ａ）に示すように、撥水生地からなるレインパンツ本体１に、腰部から腿上部にかけて、前部の裏側に防水生地３を縫い付ける。
さらに、図１（ｂ）と図２（ｂ）に示すように、撥水生地からなるレインパンツ本体１の後部の、腰部から腿上部、及び、膝裏部分に防水生地３を縫い付ける。
防水生地３は、レインパンツ本体１に縫い付ける以外に、粘着剤で貼りつけてもよい。
【産業上の利用可能性】
【００１０】  雨天時の自転車乗車に特化した蒸れにくいレインパンツを提供する。
【符号の説明】
【００１１】  １    レインパンツ
２    レインパンツ本体
３    防水生地
【図１】
0003202803.tif 000003
【図２】
0003202803.tif 000004
(57)【要約】      （修正有）【課題】冷温水貯留用タンクの断熱性を向上しながら、断熱材の劣化を抑え、かつ外観を美しく保つことのできる冷温水貯留用タンクを提供する。【解決手段】本体タンク１をガラス繊維強化樹脂で成形し、本体の周囲に断熱材２を周設し、ガラス繊維強化樹脂製の保護カバー３で本体タンク１と断熱材２を覆装する。【選択図】図１
0003202805.tif 000002
【実用新案登録請求の範囲】
【請求項１】
冷水又は温水を貯留する液体用の冷温水貯留用タンクであって、本体タンクをガラス繊維強化樹脂で成形し、本体の周囲に断熱材を周設し、本体タンクと断熱材を、ガラス繊維強化樹脂製の保護カバーで覆装することを特徴とする、冷温水貯留用タンク
【考案の詳細な説明】
【技術分野】
【０００１】  本考案は、冷水又は温水を貯留する液体用タンクの断熱性向上及び保護に関する。
【背景技術】
【０００２】  冷温水貯留用タンクは、鉄やステンレス等の金属または繊維強化樹脂等の、強度の高い材質で造られる。繊維強化樹脂等の樹脂製タンクは、金属製と比較して放熱量が低く、貯留されている冷水又は温水も温度が変化しにくいが、通常はいずれも、断熱材を巻き、冷水又は温水の温度を変化しにくくして貯留する。【０００３】  冷温水貯留用タンクの保温方法としては、断熱材を巻回した後、金属等で造られた金網押え等の固定具を用いて固定するか、或いは、金属の薄板を巻回するラッキングの方法で断熱材を巻着する。【０００４】  金網押えを用いる方法では、断熱材が空気に触れて劣化するため、機器の外観が美しくないばかりか、断熱材が減耗して断熱性能が低下する。又、ラッキングの方法では、金属に経年劣化による腐蝕が生じ、断熱材も損傷する。よって従来は、断熱材が劣化した際に改めて断熱材を施工し直している。
【考案の概要】
【考案が解決しようとする課題】
【０００５】  そこで本考案は、冷温水貯留用タンクに使用する断熱材の劣化を抑え、かつ外観を美しく保つことを目的とする。
【課題を解決するための手段】
【０００６】  本考案では、金網押えや金属の薄板に代えて、樹脂製保護カバーを用いる。樹脂製保護カバーで覆装することで、断熱材が空気に触れないので劣化しにくく、保護カバーが樹脂製であるのでそれ自体の劣化も抑えることができる。【０００７】  樹脂の中でも、対候性や強度に優れ、屋外でも劣化しにくい繊維強化樹脂を用いれば、更に劣化が抑えられる。樹脂製保護カバーだけでなく、冷温水貯留用本体タンク本体も繊維強化樹脂で形成すれば、本体の劣化も抑えることができる。又、繊維強化樹脂の中でも、強化材にガラス繊維を用いたものは断熱性も高いため、冷温水貯留の目的にも効果を発揮する。
【考案の効果】
【０００８】  本考案を利用すると、断熱材の劣化を抑え、かつ外観を美しく保ちながら、冷温水貯留用タンクの断熱性を向上させることができる。
【図面の簡単な説明】
【０００９】
【図１】  図１は、保護カバー付き冷温水貯留用タンクの部分断面図である。
【考案を実施するための形態】
【００１０】  以下、本考案の実施形態を図面とともに説明する。図１は、保護カバー付き冷温水貯留用タンクの部分断面図である。図１では、タンクが直立した円筒状で描かれているが、本考案によってタンクの外観形状は限定されない。
【実施例】
【００１１】  本考案の保護カバー付き冷温水貯留用タンクの構造は、タンク内面から順に、符号１の冷温水貯留用タンク、符号２の断熱材、符号３の樹脂製保護カバーが複層をなして構成される。【００１２】  製造する際は、符号１の冷温水貯留用タンク本体に符号２の断熱材を周設し、更にその外側に、符号３の樹脂製保護カバーを覆装する。特に、前記樹脂製保護カバーをガラス繊維強化樹脂で製造することで、外観の美しさだけでなく、断熱材及びカバー自身の劣化を防ぐことができる。又、前記冷温水貯留用タンク本体もガラス繊維強化樹脂で製造すれば、更に耐蝕性と断熱性に優れたタンクを製造可能である。
【産業上の利用可能性】
【００１３】  本考案は、断熱材を用いる設備に利用できる。本考案の説明では、冷温水貯留用タンクとしているが、水以外の液体のタンク、貯留槽等の保温及び保冷もでき、形状を変えれば配管系統全般の断熱にも応用が可能である。【００１４】  二重構造タンクの利用方法としては、外層と内層とによって囲まれた部分を空洞とし、前記空洞内に冷水又は温水を流通させて保冷又は保温を行う方法も考えられるが、本考案のカバーをより高い強度で製造して、断熱材を設けずに水密状態で覆装し、冷温水貯留用タンク本体と樹脂製保護カバーとの間に給水又は給湯する流入口と、冷水又は温水を排出する流出口とを設けることで、本考案の応用的な利用方法として実施が可能である。
【符号の説明】
【００１５】１    冷温水貯留用タンク本体
２    断熱材
３    樹脂製保護カバー
【図１】
0003202805.tif 000003
(57)【要約】      （修正有）【課題】持ち運び移動が容易で、狭い場所でも立て置きが可能な一脚立て両面看板を提供する。【解決手段】骨組１２の中心角柱１１を下方に伸ばして両面看板を土台１６上の角形短筒１６ａに差し込み固定する。【選択図】図２
0003207401.tif 000002
【実用新案登録請求の範囲】
【請求項１】
縦長四角形に組付けした骨組の中心角柱の下端部を土台上の角形短筒に差し込み固定し、骨組の表背両面に看板下地を挟んで看板をレール嵌め取付けしたことを特徴とする一脚立て両面看板。
【請求項２】
中心角柱の下端部の延長と差し込み幅の長短により看板の位置を高低調整する請求項１に記載の立て型看板。
【考案の詳細な説明】
【技術分野】
【０００１】
この考案は一脚立て両面看板に関するものである。
【背景技術】
【０００２】
この種の看板としては本願の出願人が先に取得した実用新案登録第３２０３９４２号公報がある。該公報は間隔を置いた２本の支柱にて挟み支える立て型看板を記載している。
【先行技術文献】
【特許文献】
【０００３】
【特許文献１】実用新案登録第３２０３９４２号公報
【考案の概要】
【考案が解決しようとする課題】
【０００４】
立て型看板として２本の支柱による支えは安定性に優れるけれども横方向に大きいため持ち運び移動に難儀するという課題がある。また大型によって製作費が嵩み、収納時を含んで立て置きに場所をとるという課題がある。
【課題を解決するための手段】
【０００５】
本考案は、表背両面の看板を一脚立てにして、持ち運び移動を容易にするとともに製作費を低廉にして収納時を含んで狭い場所でも立て置きを可能にして、上記した各課題を解決するようにしたのである。
【考案の効果】
【０００６】
本考案は、表，背両面の看板を一脚立てにて形成したので、狭い場所でも立て置きすることができるという効果を生ずる。
【０００７】
場所をとらずに収納することができるという効果を生ずる。
【０００８】
一脚立てによって本考案の両面看板は持ち運び移動をきわめて容易にするという効果を生ずる。
【図面の簡単な説明】
【０００９】
【図１】本考案の第１実施例を示す斜視図
【図２】同、被せレールを外して看板をフリーにした状態を示す斜視図
【図３】同、手前の看板下地を外して骨組を見せる斜視図
【図４】第２実施例を示すもので、（ａ）は未調整の状態、（ｂ）は高く調整した状態を示す斜視図
【考案を実施するための形態】
【００１０】
本考案は、縦長形とする看板下地下の中心下の角柱を土台上の短尺角筒に差し込み固定し、看板下地の表背両面に看板をレール嵌め取付けして一脚立て両面看板を形成する。
【実施例１】
【００１１】
図１乃至図３は本考案の第１実施例であって、図３に示すように縦方向の中心角柱１１を挟んで組付けする縦長四角形の骨組１２に表背両面にアルミ複合板などにてなる看板下地１３，１３を当ててビス１４止め固定し、看板下地１３，１３の上端に下向きコ形の被せレール１５ａを嵌め取付け、下端に上向きコ形の下支えレール１５ｂを嵌め付け取付けする。
【００１２】
１５ｃは下支えレール１５ｂの中心部に設けた中心角柱１１に挿通するための角穴である。中心角柱１１の下端は土台１６上に突出する角形短筒１６ａに挿込みネジ１７止め固定して看板下地１３，１３を所定の高さにおいて一脚立てするようにする。
【００１３】
図１，２に示すように看板下地１３，１３のそれぞれの表面に看板１８，１８を被せレール１５ａと下支えレール１５ｂを用いてレール嵌め取付けして、一脚立ての両面看板１９とする。
【００１４】
看板１８，１８には常法にしたがって広告，注意書などを印刷などして店頭等に立てかけることとなる。
【００１５】
本考案の両面看板は一脚立てによって、一人で持ち運び移動させることができて取扱いをきわめて容易にして、場所をとらないことから狭い場所でも直立させ、狭いスペースに収納し保管することができることになる。本考案の看板は一脚立てによって製作期間が短く費用も低廉となり、維持費も安価となる。
【実施例２】
【００１６】
図４（ａ）（ｂ）は本考案の第２実施例であって、中心角柱１１の下部を長くするとともに土台の角形短筒１６ａに対する差し込み幅を長短して看板１８，１８の高さを高低させる調整ができるようにしたもので、その他の構成と作用は第１実施例と同じである。
【００１７】
なお看板１８，１８の大きさは実施例では縦長を６２０ｍｍ，幅員２１５ｍｍとしているがその大きさは自由に変更することができる。
【産業上の利用可能性】
【００１８】
本考案は表背両面の看板を一脚立てにて形成して場所をとらずに立て置きし、収納保管することができることで広く利用されるものである。
【符号の説明】
【００１９】
１１は中心角柱
１２は骨組
１３，１３は看板下地
１４はビス
１５ａは被せレール
１５ｂは下支えレール
１５ｃは角穴
１６は土台
１６ａは角形短筒
１７はネジ
１８，１８は看板
１９は一脚立ての両面看板
【図１】
0003207401.tif 000003
【図２】
0003207401.tif 000004
【図３】
0003207401.tif 000005
【図４】
0003207401.tif 000006